(57)【特許請求の範囲】
【請求項１】
遊技盤と、
前記遊技盤上に配置され落下してきた遊技球を受け入れる始動口と、
遊技球が前記始動口に入球することで所定の図柄を可変表示可能な可変表示装置と、
前記可変表示装置に停止表示された図柄が予め定められた態様になると開放する大入賞口と、
前記遊技盤の前面側に配置され電磁石が埋設された球吸着部材と、前記遊技盤の裏面側に配置され前記球吸着部材を前記始動口の上方において常時左右に移動させる駆動部とで構成される球吸着装置と、
前記駆動部を制御すると共に、前記電磁石を吸着状態と非吸着状態とに変化させる制御をする制御基盤と、
前記電磁石が前記始動口の真上に位置した時に位置検知信号を前記制御基盤に発信する位置検知センサーと、を備えた弾球遊技機において、
前記制御基盤は、前記駆動部を常時駆動させると共に、通常時は前記電磁石をオンとし、前記位置検知センサーからの位置検知信号を受けると前記電磁石をオフにし、その後オンにする制御を実行することで、前記始動口近辺に落下してきた遊技球を前記球吸着部材に吸着し、吸着した遊技球を前記始動口の真上で落下させることを特徴とする弾球遊技機。
【発明の詳細な説明】
【０００１】
【発明の属する技術分野】
本発明は、少なくとも入球口を備えたパチンコ機等の弾球遊技機に関する。
【０００２】
【従来の技術】
従来の弾球遊技機は、入球口の上方に複数の障害釘が配置されており、障害釘を予め調整しておくことによって、入球口への入球率を調整していた。
しかしながら、このような弾球遊技機では、前述した調整が入球し難い状態にされていれば調整し直さない限り入球し難い状態が続き、遊技客の遊技意欲を失わせる虞があるという課題を有していた。
前述した課題を解決する弾球遊技機として、入球口の左右に一対の羽根部材を有し、ソレノイド等の電気的駆動源によって各々の羽根部材を開放して、落下してきた遊技球を受入れ易くするよう構成された所謂電動チューリップと呼ばれる入賞球装置が備えられた弾球遊技機が挙げられる。この入賞球装置は、所定の条件が成立、例えば７セグメント式ＬＥＤの表示に「７」が表示された場合に入賞球装置の羽根部材を所定時間開放し、遊技球を受け入れ易いように変化させるものであった。
【０００３】
【発明が解決しようとする課題】
しかしながら、従来の弾球遊技機では、所定の条件の成立によって入賞球装置の羽根部材が開放状態になるが、通常はその開放時間は一瞬なため、その時に遊技球が羽根部材上に落下してこなければ開放状態を有効に利用することができないのが現状であった。このため遊技客に入賞球装置の開放による遊技球入球の期待感を失わせると共に不快感を与える虞が考えられた。また、遊技客は常に遊技に集中できる趣向性の高い弾球遊技機を求める傾向にある。
本発明は、これらの課題を解決するために為されたものであり、常に遊技に対し期待感が持て、且つ趣向性の高い弾球遊技機を提供することを目的としている。
【０００４】
【課題を解決するための手段】
上記課題を解決するために、請求項１に記載の発明の弾球遊技機は、遊技盤と、前記遊技盤上に配置され落下してきた遊技球を受け入れる始動口と、遊技球が前記始動口に入球することで所定の図柄を可変表示可能な可変表示装置と、前記可変表示装置に停止表示された図柄が予め定められた態様になると開放する大入賞口と、前記遊技盤の前面側に配置され電磁石が埋設された球吸着部材と、前記遊技盤の裏面側に配置され前記球吸着部材を前記始動口の上方において常時左右に移動させる駆動部とで構成される球吸着装置と、前記駆動部を制御すると共に、前記電磁石を吸着状態と非吸着状態とに変化させる制御をする制御基盤と、前記電磁石が前記始動口の真上に位置した時に位置検知信号を前記制御基盤に発信する位置検知センサーと、を備えた弾球遊技機において、前記制御基盤は、前記駆動部を常時駆動させると共に、通常時は前記電磁石をオンとし、前記位置検知センサーからの位置検知信号を受けると前記電磁石をオフにし、その後オンにする制御を実行することで、前記始動口近辺に落下してきた遊技球を前記球吸着部材に吸着し、吸着した遊技球を前記始動口の真上で落下させることを特徴とする。
ここで、吸着手段とは、遊技球を吸着させることができる手段であれば良く、例えば磁力や空気等の吸引力等により吸着させる手段等が挙げられる。また、移動手段とは、モーターや電磁ソレノイド等の電気的駆動源を用いて構成しても良いし、遊技球の自重等により機構的に駆動するように構成しても良い。
【０００５】
【発明の実施の形態】
上記のように構成された請求項１に記載の弾球遊技機においては、球吸着部材は、駆動部によって始動口上方で移動され、制御基盤によって吸着状態とされた時には遊技球を吸着可能とし、非吸着状態とされた時には遊技球を吸着不可能とするよう作用する。詳しくは遊技球が球吸着部材によって吸着されている場合に球吸着部材が非吸着状態となった時には、遊技球は下方に落下するが、その時の球吸着部材の移動位置によって遊技球の落下位置は異なる。これにより遊技球は入球口に入球し易くなったり、入球し難くなったりする。
【０００６】
【具体例】
本発明の第１具体例の弾球遊技機について図１及〜図５を参照して説明する。
図１に示すように、弾球遊技機１には遊技盤２が備えられると共に、遊技盤２の前面は、ガラス溝３を介してガラス枠４に装着された二重のガラス５ａ，５ｂで覆われている。これにより、遊技盤２と内側のガラス５ａとの間には遊技領域６が形成される。
【０００７】
ガラス枠４の上部にはいわゆる大当りが発生した時に点灯する大当りランプ７が組み付けられている。また、ガラス枠４は、右側部に設けられた鍵８を操作することにより、左側部の裏面側に装着されているヒンジ（図示略）を軸として開閉可能である。ガラス枠４の下方には、上受皿１０が設けられた上皿部材１１が配されており、更に上皿部材１１の下方には下受皿１２が設けられた下皿部材１３が配されている。
上受皿１０及び下受皿１２には、それぞれに弾球遊技機１からの遊技球を排出するため上皿排出口１４及び下皿排出口１５が開口している。また、上皿部材１１には複数の小長孔からなるスピーカー面１６が設けられており、スピーカー面１６の裏面には遊技状態に応じて音声を発生するスピーカー（図示略）が装着されている。
尚、遊技球は下皿部材１３に設けられた操作ハンドル１７を操作することにより遊技盤２上に発射される。
【０００８】
上皿部材１１には左側部の裏面側に装着されているヒンジ（図示略）を軸として開閉可能であるが、通常の使用時には、上皿部材１１はガラス枠４によって上辺部分を押えられ開放を防止されている。従って、上皿部材１１を開くには、ガラス枠４を開放し右裏側のロック（図示略）を解除する必要がある。
ガラス枠４及び上皿部材１１は、前述した各々のヒンジを介して前面枠１８の正面に配置され、下皿部材１３は前面枠１８の正面に固定されている。
【０００９】
前述した遊技盤の上方中央部には所定の図柄を可変表示可能な可変表示装置２０が、その下方には所謂アタッカーと呼ばれる大入賞口２１が組み付けられている。この可変表示装置２０と大入賞口２１の間には始動口２２が設けられており、始動口２２の両端上方の直上近辺には各々障害釘２３ａ，２３ｂが配置されている。
また、遊技盤２の障害釘２３ａ，２３ｂの上方には球吸着装置２４が、配置されているが後に詳しく説明する。また、遊技盤２には図示されない入賞口や役物等が備えられているが詳しい説明は省略する。
【００１０】
尚、本具体例の弾球遊技機１は、遊技球が始動口２２に入球すると可変表示装置２０の図柄が可変し、停止した図柄が予め定められた態様になると大入賞口２１を開放し、遊技客に比較的に多くの賞球を与えるように構成されているが、これらは周知の技術であり、構成についての説明は省略する。
【００１１】
次に前述した球吸着装置２４について図２を参照して説明する。
球吸着装置２４は遊技盤２の前面側に配置される球吸着部材２５と、遊技盤２の裏面側に配置され、球吸着部材２５を移動させる駆動部２６に大別される。
球吸着部材２５は、横長状のベース板２７中央部に刻設された嵌合凹部２７ａに電磁石２８が埋設されたもので、電磁石２８の裏面側には配線としての２本のリード線（図示略）が接続されている。前記各々のリード線は嵌合凹部２７ａの中央部に貫設されている貫通穴２７ｂを介して球吸着部材２５の裏面側に出される。
【００１２】
駆動部２６は、回動軸３０を有する駆動モーター３１と、駆動モーター３１の回動軸３０に固着される円盤状のカム３２と、カム３２に係合され、球吸着部材２５裏面に固着されるリンク部材３３とにより構成されている。駆動モーター３１の正面には、中心部に貫設された軸穴３４ｃを有し、両端に取付部３４ａ，３４ｂが設けられた取付板３４が取り付けられている。この取付板は、軸穴３４ｃに駆動モーター３１の回動軸３０が挿入された状態で駆動モーター３１に固定され、駆動モーター３１の先端は取付板３４の正面側に突出されている。尚、軸穴３４ｃは回動軸３０の直径より若干大きく形成されており、回動軸３０の回転に支障を与えることはない。
【００１３】
カム３２正面の最端近辺にはピン３２ａが突設されており、カム３２裏面の中心には軸溝３２ｂが形成されている。リンク部材３３は縦長リング状のリング部３３ａとリング部３３ａの正面中央付近に突設された移動凸部３３ｂとにより構成されており、移動凸部３３ｂの正面からは配線穴３３ｃが貫設され、リング部３３ａの左側部裏面には配線溝３３ｄが形成されている。尚、配線穴３３ｃと配線溝３３ｄは連絡されている。
駆動モーター３１の回動軸３０はカム３２裏面の軸溝３２ｂに挿入固着され、カム３２は、ピン３２ａをリンク部材３３のリング部３３ａ内に挿入させることによりリンク部材３３と係合されている。
【００１４】
上記のように構成された駆動部２６は、リンク部材３３の移動凸部３３ｂを遊技盤２に貫設されている移動穴３５（図４参照）に遊技盤２裏面側から挿入させ、駆動モーター３１の取付部３４ａ，３４ｂを各々ビス等で遊技盤２に固着して遊技盤２裏面に取り付けられる。この時、移動凸部３３ｂの先端は遊技盤２の正面側に１〜２ｍｍ程度突出される。遊技盤２の正面側に突出された移動凸部３３ｂの先端面には球吸着部材２５の裏面中心部が固着される。尚、前述した遊技盤２の移動穴３５は横長状に形成されており、移動凸部３３ｂは左右のみの移動を許容されている。
この状態においては、球吸着部材２５の貫通穴２７ｂとリンク部材３３の配線穴３３ｃとは整合されており、前述した電磁石２８の各々のリード線はリンク部材３３の配線穴３３ｃ及び配線溝３３ｄを経て後述する制御基盤４０に接続されている。また、駆動モーター３１も図示されないリード線を介して前記制御基盤４０に電気的に接続されている。
【００１５】
次に、駆動部２６及び球吸着部材２５の動作について図３及び図４を参照して説明する。
駆動モーター３１の電源をオンにすると、回動軸３０が回転し、同時にカム３２も回転する。また、カム３２の回転に伴ってピン３２ａは円を描くように回転する。
例えば、図３（ａ）に示すようにカム３２のピン３２ａが最上部に位置し、リンク部材３３が駆動モーター３１の中央に垂直に位置している状態を始点とすると、駆動モーター３１の回動軸３０を左回転させた場合、ピン３２ａはリンク部材３３を左方向に押しながら回転し、リンク部材３３を左方向に移動させる。即ち図３（ｂ）に示すように、ピン３２ａが最も左方向に位置した時点がリンク部材３３の左方向への限界である。また、前述した図３（ｂ）に示す状態からカム３２を更に回転させ続けると、ピン３２ａはリンク部材３３を右方向に押しながら回転し、リング部材３３を右方向に移動させる。即ち、図３（ｃ）に示すように、ピン３２ａが最も右方向に位置した時点がリンク部材３３の右方向への移動の限界位置である。
【００１６】
上述したリンク部材３３の動作に従ってリンク部材３３の移動凸部３３ｂに固着されている球吸着部材２５も左右に移動されるので、リンク部材３３が前述した図３（ａ）に示す位置の時には、図４（ａ）に示すように球吸着部材２５は始動口２２の上方中央に位置し、電磁石２８は始動口２２の垂直線上に位置する。リンク部材３３が前述した図３（ｂ）に示す位置の時には、図４（ｂ）に示すように球吸着部材２５は始動口２２の上方左側に位置し、電磁石２８は始動口２２の垂直線上より左側に位置する。また、リンク部材３３が前述した図４（ｃ）に示す位置の時には、球吸着部材２５は始動口２２の上方右側に位置し、電磁石２８は始動口２２の垂直線上より右側に位置する。
尚、リンク部材３３の移動凸部３３ｂは遊技盤２の移動穴３５によって移動を左右のみに制限されているので、上下に蛇行することはない。また、前述した電磁石２８の各々のリード線は球吸着部材２５の配線穴２５ｂ、リンク部材３３の配線穴３３ｃ及び配線溝３３ｄを経て制御基盤４０に接続されているので、前記リード線の長さにある程度余裕をもたせておけば、球吸着部材２５の移動に支障を与えることはない。
尚、駆動部２６には位置検知センサー４１（図５参照）が備えられており、制御基盤４０と電気的に接続されている。
上記のように構成された球吸着装置２４は、球吸着部材２５の電磁石２８がオンされると落下してきた遊技球を吸着可能な状態となり、電磁石２８がオフされると遊技球を吸着不可能な状態となる。
【００１７】
次に駆動部２６の駆動モーター３１及び球吸着部材２５の電磁石２８を制御する制御基盤４０について、図５を参照して説明する。
図５に示すように制御基盤４０は、電源をオンすると駆動モーター３１を回転させると共に球吸着部材２５の電磁石２８をオンし、位置検知センサー４１からの位置検知信号を受けると電磁石２８を瞬間的に（０．５秒間程度）オフする制御を行う。この位置検知センサー４１は、駆動部２６のリンク部材３３が駆動モーター３１の中央に垂直に位置、即ち、図４（ａ）に示すように球吸着部材２５の電磁石２８が始動口２２の真上に位置した時に、位置検知信号を制御基盤４０に発信するように構成されている。また、駆動モーター３１の回転数は、球吸着部材２５の左右一往復の移動が３秒程度となるように制御基盤４０によって制御されている。
【００１８】
上記のように構成された第１具体例の弾球遊技機１においては、球吸着部材２５は常時駆動部２６によって左右に移動されており、球吸着部材２５の電磁石２８は始動口２２の真上に位置した時、瞬間的にオフされるが、それ以外はオンされているので落下してきた遊技球を吸着させることができる。電磁石２８に吸着された遊技球は、始動口２２上での電磁石２８のオフにより始動口２２に入球し易くなる。
【００１９】
第１具体例の弾球遊技機１によると、遊技球が始動口２２近辺に向かって落下してくれば球吸着部材２５に吸着される可能性が高く、球吸着部材２５に遊技球が吸着されれば、遊技球は始動口２２に入球し易くなる。
これにより、遊技球が始動口２２に入球する期待感を常に遊技客に持たせることができるという極めて優れた効果を奏する。また、遊技球が球吸着部材２５に吸着されるか或いは吸着された遊技球が始動口２２に入球するかといったスリルを与えることにより趣向性を高めるという効果も有する。
【００２０】
尚、本具体例の制御基盤４０においては、球吸着部材２５の電磁石２８は、球吸着部材２５が所定位置に移動された時にオフされるように制御されているが、電磁石２８を無作為にオンオフさせるよう制御しても良い。また、駆動部２６も常時の駆動させなくても良く、駆動に変化を与えても良い。
【００２１】
本発明の第２具体例の弾球遊技機について図６及び図７を参照して説明する。
図６に示すように、弾球遊技機５０には遊技盤２が備えられると共に、遊技盤２の前面は、ガラス溝３を介してガラス枠４に装着された二重のガラス５ａ，５ｂで覆われている。これにより、遊技盤２と内側のガラス５ａとの間には遊技領域６が形成される。また、弾球遊技機５０にはその他大当りランプ７、上皿部材１１、下皿部材１３、スピーカー面１６、操作ハンドル１７等が、遊技盤２には可変表示器２０、大入賞口２１、始動口２２、障害釘２３ａ，２３ｂ、球吸着装置２４、駆動部２６、その他図示されない入賞口や役物等が備えられている。これらは、第１具体例の弾球遊技機１と同様に構成されているので同じ品番を付して説明を省略する。
【００２２】
図６及び図７に示すように、弾球遊技機５０の上皿部材１１の左側部近辺には本具体例の特徴である操作釦５１が備えられており、操作釦５１は後述する制御基盤５２に接続されている。この操作釦５１は遊技客が操作釦５１を押して任意に球吸着部材２５の電磁石２８を瞬間的にオフするためのものである。
【００２３】
次に駆動部２６の駆動モーター３１、球吸着部材２５、操作釦５１を制御する制御基５２盤について図７を参照して説明する。
図に示すように制御基盤５２は、電源をオンすると駆動モーター３１を回転させると共に球吸着部材２５の電磁石２８をオンし、操作釦５１が押されると瞬間的に（０．５秒程度）電磁石２８をオフする制御を行う。例えば操作釦５１が押された状態が継続されても、電磁石５１は瞬間的にオフされるが、その後は操作釦５１が１度押されていない状態に戻った上で再度操作釦５１が押されないと電磁石２５はオフされないよう制御されている。
尚、駆動モーター３１の回転数は、球吸着部材２５の左右一往復の移動が３秒程度となるように制御基盤５２によって制御されている。
【００２４】
上記のように構成された本具体例の弾球遊技機５０においては、球吸着部材２５は常時駆動部２６によって左右に移動されており、球吸着部材２５の電磁石２８は通常はオンされている。電磁石２８は操作釦５１を押すことにより瞬間的にオフされるので、落下して電磁石２８に吸着された遊技球を任意な位置（例えば始動口２２上）に落下させることができる。
【００２５】
第２具体例の弾球遊技機５０によると、遊技客は、落下してきた遊技球が球吸着部材２５に吸着されれば操作釦５１を操作することにより、遊技球を始動口２２に入球させるよう狙うことができるという極めて優れた効果を奏する。
これにより、遊技客が遊技に集中でき、常に遊技を楽しむことができるという効果も有する。
【００２６】
以上、第１及び第２具体例に従って、本発明の実施の形態について説明したが、本発明はこのような具体例に限定されるものでなく、本発明の要旨を逸脱しない限り様々に実施できることは言うまでもない。
【００２７】
【発明の効果】
以上詳細に説明したように、請求項１に記載の発明の弾球遊技機によると、球吸着部材は入球口上方で駆動部によって移動され、制御基盤によって吸着状態と非吸着状態とに変化されるので、落下して球吸着部材に吸着された遊技球は常に入球の可能性がある。これにより、遊技客に、遊技球が始動口に入球する期待感を常に持たせることができ、遊技の趣向性を向上させることができるといった極めて優れた効果を奏する。これにより、遊技客が遊技に集中でき、常に遊技を楽しむことができるという効果も有する。
【図面の簡単な説明】
【図１】第１具体例の弾球遊技機を示す正面図である。
【図２】第１具体例の球吸着装置を示す斜視分解図である。
【図３】第１具体例の駆動部の動作を示す摸式図であり、図３（ａ）はカムのピンが最上方向に回転した時のリンク部材の状態を示し、図３（ｂ）はカムのピンが最も左方向に回転した時のリンク部材の状態を示し、図３（ｃ）はカムのピンが最も右方向に回転した時のリンク部材の状態を示す正面図である。
【図４】第１具体例の球吸着部材の動作を示す摸式図であり、図４（ａ）は球吸着部材の電磁石が始動口の真上に位置した状態を示し、図４（ｂ）は球吸着部材の電磁石が始動口の左上方に位置した状態を示し、図４（ｃ）は球吸着部材の電磁石が始動口の右上方に位置した状態を示す正面図である。
【図５】第１具体例の制御基盤の制御を示すブロック図である。
【図６】第２具体例の弾球遊技機を示す正面図である。
【図７】第２具体例の制御基盤の制御を示すブロック図である。
【符号の説明】
１，５０・・・弾球遊技機    ２・・・遊技盤      ３・・・ガラス溝
４・・・ガラス枠                  ５ａ，５ｂ・・・ガラス
６・・・遊技領域                  ７・・・大当りランプ
８・・・鍵                １０・・・上受皿    １１・・・上皿部材
１２・・・下受皿          １３・・・下皿部材  １４・・・上皿排出口
１５・・・下皿排出口              １６・・・スピーカー面
１７・・・操作ハンドル    １８・・・前面枠    ２０・・・可変表示装置
２１・・・大入賞口                ２２・・・始動口（入球口）
２３ａ，２３ｂ・・・障害釘        ２４・・・球吸着装置
２５・・・球吸着部材（吸着手段）  ２６・・・駆動部（移動手段）
２７・・・ベース板                ２７ａ・・・嵌合凹部
２７ｂ・・・貫通穴        ２８・・・電磁石    ３０・・・回動軸
３１・・・駆動モーター    ３２・・・カム      ３２ａ・・・ピン
３２ｂ・・・軸溝                  ３３・・・リンク部材
３３ａ・・・リング部      ３３ｂ・・・移動凸部  ３３ｃ・・・配線穴
３３ｄ・・・配線溝                ３４・・・取付板
３４ａ，３４ｂ・・・取付部        ３４ｃ・・・軸穴
３５・・・移動穴
４０、５２・・・制御基盤（吸着制御手段）
４１・・・位置検知センサー          ５１ｃ・・・操作釦（操作手段）
【図１】
0004001303.tif 000002
【図２】
0004001303.tif 000003
【図３】
0004001303.tif 000004
【図４】
0004001303.tif 000005
【図５】
0004001303.tif 000006
【図６】
0004001303.tif 000007
【図７】
0004001303.tif 000008